(57)【要約】【課題】  本発明は、コスト低減および組み立て性を向上することができる電子機器の提供を目的とする。【解決手段】    本体２には主回路基板２７が実装される。スイッチ基板２０はスイッチ２１，２２が上方になるように凹部１３内に収容され、凹部１３内においてスイッチ基板２０は底壁１４に設けられている位置決め突起１４ａ，１４ｂに位置決め孔１６ａ，１６ｂを貫挿させて収容されることで容易に凹部１３内においてスイッチ基板２０の位置決めが成される。凹部１３に収容されたスイッチ基板２０の上方にはスイッチカバー１０が実装される。スイッチカバー１０の内面より下方に突出している複数の突起２５ａ，２５ｂ，２５ｃ，２５ｄはスイッチ基板２０の上面に当接され、スイッチ基板２０の上面を抑えることで、凹部１３内部でのスイッチ基板２０の上下の振動を防止することが出来る。【選択図】  図４
2005217298.tif 000002
【特許請求の範囲】
【請求項１】
底壁を有した凹部が形成された筐体と、
上記凹部に収容されるとともに上記底壁上に実装される基板と、
上記凹部に収容された基板を覆うように上記凹部に実装されるとともに、上記基板を上記底壁との間で挟む突起を有したカバーと、
を具備することを特徴とする電子機器。
【請求項２】
上記回路基板にはスイッチが実装され、上記カバーは、上記基板と対向する内面に上記スイッチを操作する突起を有し、この突起を操作する操作部を有することを特徴とする請求項１記載の電子機器。
【請求項３】
上記スイッチは電源スイッチであることを特徴とする請求項２記載の電子機器。
【請求項４】
上記筐体内部に実装された主基板と、
上記凹部に設けられ上記筐体内に連なる開口部と、
上記開口部を介して、上記凹部内に実装された基板と上記筐体内の主基板とを電気的に接続するケーブルと、
を具備することを特徴とする請求項１記載の電子機器。
【請求項５】
上記カバーはラッチ片を有し、上記凹部は上記カバーが上記凹部に実装されるとき上記ラッチ片が係脱可能に嵌合される嵌合部を有することを特徴とする請求項１記載の電子機器。
【請求項６】
上記底壁は突起を有し、上記基板は上記凹部に収容されるとき上記突起が貫挿される位置決め孔を有していることを特徴とする請求項１記載の電子機器。
【発明の詳細な説明】
【技術分野】
【０００１】
本発明は、電子機器に関し、特にスイッチが実装された基板のカバーに関する。
【背景技術】
【０００２】
従来、ノート型コンピュータ等の電子機器内部に実装される基板は主基板（例えばＣＰＵ等が実装された基板）と，それぞれ機能を持ったサブ基板（例えば，拡張メモリ基板，ＬＥＤ基板、スイッチ基板）等のように基板が分割されることが一般的である。このような電子機器において、サブ基板はユーザーが後から筐体内に実装するものや、電子機器を組み立てる際、筐体を組み立てた後、収容部に実装し、その後カバー等で覆われる。これらサブ基板はねじなどの固定手段により、筐体あるいは内部の主基板等に固定された後にカバー等を筐体などにねじ止めされるのが一般的である。（特許文献１参照。）。
【特許文献１】特開平１０−１２４１７２号公報（第９頁、第１２図）
【発明の開示】
【発明が解決しようとする課題】
【０００３】
特許文献１にはメモリ基板をねじ止めし、その後カバーをねじ止めする構成が開示されている。しかしながら、基板をねじ止めする工程を必要とし、さらにカバーをねじ止めする工程が必要となり製品の組み立て作業、製造工程が長くなるという問題を有している。さらにねじ固定するため、ねじの分コストが高くなるという問題を有している。
【０００４】
そこで本発明は、コストの低減および組み立て性を向上することができる電子機器の提供を目的とする。
【課題を解決するための手段】
【０００５】
上記目的を達成するために、請求項１に係る発明では、底壁を有した凹部が形成された筐体と、上記凹部に収容されるとともに上記底壁上に実装される基板と、上記凹部に収容された基板を覆うように上記凹部に実装されるとともに、上記基板を上記底壁との間で挟む突起を有したカバーと、を具備することを特徴とする。
【発明の効果】
【０００６】
本発明によれば、電子機器のコストの低減および組み立て性を向上することができる。
【発明を実施するための最良の形態】
【０００７】
以下本発明に係る実施の形態を、図面を参照して説明する。
【０００８】
図１は、電子機器の斜視図である。図１に示すようにコンピュータ等の電子機器１は本体２を有している。本体２の筐体は上ケース３及びこの上ケース３に結合される下ケース４を有している。上ケース上面にはキーボード５が実装されている。本体２にはヒンジ部６を介して表示部７が本体２に対してキーボード５を覆う閉位置とキーボード５を露出する開位置との間で回動可能に接続されている。表示部７には表示パネル８が内蔵されており、表示部７の前面より露出されている。
【０００９】
本体２の後方には上ケース３の一部を形成するカバー９が設けられている。カバー９の上面にはスイッチカバー１０が配置されている。スイッチカバー１０には、電子機器１の電源投入時にユーザーにより操作される電源操作部１１および、その他の操作部１２が設けられている。その他の操作部１２は複数設けられており、例えばインターネット接続時のブラウザ起動ボタンや、電子メールソフトの起動ボタン等である。
【００１０】
図２は、スイッチカバー部の分解斜視図である。カバー９には凹部１３が設けられている。凹部１３は底壁１４を有しており、カバー９と底壁とは一体に形成されている。底壁１４には後述する基板の位置決めを行う一対の突起１４ａ，１４ｂが一体に形成されている。また、凹部１３には本体２の内部に連なる開口部１５が形成されている。この開口部１５は底壁１４に形成されている。この凹部１３にはスイッチ基板２０が挿入される。スイッチ基板２０は凹部９に入る大きさを有している。スイッチ基板２０の上面には電源スイッチ２１、スイッチ郡２２が実装されている。
【００１１】
またスイッチ基板２０の裏面には電源スイッチ２１、スイッチ郡２２に電気的に接続されたコネクタ２３が実装されている。電源スイッチ２１は電源操作部１１が操作された時にＯＮされるスイッチである。スイッチ郡２２は操作部１２にそれぞれ対応しており、それぞれの操作部１２が操作されたときにスイッチ郡２２がＯＮされるものである。スイッチ基板２０には凹部１３の底壁１４に設けられている位置決め突起に１４ａ，１４ｂにそれぞれ対応する位置決め孔１６ａ，１６ｂが設けられている。スイッチ基板２０を凹部１３に収容した際、これら位置決め突起１４ａ，１４ｂと位置決め孔１６ａ，１６ｂがそれぞれ嵌合することで凹部１３内部でのスイッチ基板２０の位置決めを容易に行うことができる。
【００１２】
図３は、スイッチカバーの裏面を示す斜視図である。スイッチカバー１０の裏面には両端に凹部１３に係合されるラッチ片２４ａ，２４ｂが一体に設けられている。電源操作部１１はスイッチカバー１０とは別体で形成されている。操作部１１の裏面中央には電源スイッチ２１を操作する突起１１ａが操作部１１と一体に形成されている。電源操作部１１の両端部は湾曲されたアーム１１ｂ，１１ｃにより弾性的に指示されている。電源操作部１１を上方より押された際、アーム１１ｂ，１１ｃにより操作部１１は電子機器１の下方に弾性的に押し込まれる。この操作部１１の移動にともない突起１１ａが電源スイッチ２１を操作することになる。同様にその他の操作部１２の裏面にも突起１２ａが操作部１２と一体的に形成されており、操作部１２は一対のアーム１２ｂ，１２ｃにより弾性的にスイッチカバー１０に支持されている。スイッチカバー１０の裏面には複数の突起２５ａ，２５ｂ，２５ｃ，２５ｄがカバー１０と一体的に形成されている。
【００１３】
図４は、スイッチカバー部の断面図である。本体２内部には主回路基板２７が実装されている。主回路基板にはコネクタ２７ａが実装されている。カバー９に設けられている凹部１３は、底壁１４及び、カバー９の上面と凹部１３の底壁１４とを接続する側壁２６により規定されている。凹部１３に設けられている開口部１５は底壁１４と側壁２６とに亘って設けられている。スイッチ基板２０はスイッチ２１，２２が上方になるように凹部１３内に収容される。凹部１３内においてスイッチ基板２０は底壁１４に設けられている位置決め突起１４ａ，１４ｂに位置決め孔１６ａ，１６ｂを貫挿させて収容されることで容易に凹部１３内においてスイッチ基板２０の位置決めが成される。
【００１４】
凹部１３に収容されたスイッチ基板２０の裏面に実装されたコネクタ２３は開口部１５より本体２内部に向かって露出されている。コネクタ２３はフレキシブルケーブル等のケーブル２３ａを介して本体２に実装されている主基板２７のコネクタ２７ａに電気的に接続される。
【００１５】
凹部１３に収容されたスイッチ基板２０の上方にはスイッチカバー１０が実装される。スイッチカバー１０は、スイッチカバー１０の両端に形成されているラッチ片２４ａ，２４ｂは、凹部１３の側壁２６に設けられている係合部２６ａ，２６ｂにそれぞれ係合されることで凹部１３に着脱可能に実装される。
【００１６】
電源操作部１１の突起１１ａは電源スイッチ２１の上方に対向して位置している。電源操作部１１は図３に示したアーム１１ｂ，１１ｃにより支持されており、操作部１１がユーザーにより下方に押された際は突起１１ａが電源スイッチ２１を操作する。ユーザーが操作部１１より手を離すと操作部１１はアーム１１ｂ，１１ｃにより上方に押し上げられ通常の位置に復帰する。これに伴い突起１１ａは電源スイッチ２１より離間することになる。その他の操作部１２およびスイッチ２２の動作も同様であるため説明は省略する。
【００１７】
スイッチカバー１０の内面より下方に突出している複数の突起２５ａ，２５ｂ，２５ｃ，２５ｄはスイッチ基板２０の上面に当接される。これら突起２５ａ，２５ｂ，２５ｃ，２５ｄがスイッチ基板２０の上面を抑えることで、凹部１３内部でのスイッチ基板２０の上下の振動を防止することが出来る。
【００１８】
このような構成により、スイッチ基板を本体２に実装するためのねじを設ける必要がないため、製造コストを削減することが可能である。さらに、スイッチ基板を本体２にねじ止めする工程を不用とするため、製造工程を簡略化することが可能である。
【００１９】
本発明ではその主旨を逸脱しない範囲であれば、上記の実施形態に限定されるものではない。本実施の形態においては筐体上面に凹部、スイッチ基板及びスイッチカバーを設けたが、筐体の側面、底面、あるいは表示部筐体の表裏のいずれかに設けるようにしても良い。さらに本発明においてはスイッチ基板及びスイッチカバーについて説明したが、筐体に単なる基板(外部からの操作が不要な基板、例えば無線用基板、モデム基板、メモリ基板等)をの実装構造に適することが可能である。また、本発明は他に携帯電話、デジタルスチルカメラ、ＰＤＡ等の電子機器や、その他の電子機器に広く適用できるものである。
【図面の簡単な説明】
【００２０】
【図１】電子機器の斜視図。
【図２】スイッチカバー部の分解斜視図。
【図３】スイッチカバーの裏面を示す斜視図。
【図４】スイッチカバー部の断面図。
【符号の説明】
【００２１】
１…電子機器、２…本体、３…上ケース、４…下ケース、５…キーボード、６…ヒンジ部、７…表示部、８…表示パネル、９…カバー、１０…スイッチカバー、１１…電源操作部、１１ａ，１２ａ…突起、１１ｂ，１１ｃ，１２ｂ，１２ｃ…アーム、１２…操作部、１３…凹部、１４…底壁、１４ａ，１４ｂ…位置決め突起、１５…開口部、１６ａ，１６ｂ…位置決め孔、２０…スイッチ基板、２１…電源スイッチ、２２…スイッチ郡、２３，２７ａ…コネクタ２４ａ，２４ｂ…ラッチ片、２５ａ，２５ｂ，２５ｃ，２５ｄ…突起、２６…側壁、２６ａ，２６ｂ…係合部、２７…主回路基板
【図１】
2005217298.tif 000003
【図２】
2005217298.tif 000004
【図３】
2005217298.tif 000005
【図４】
2005217298.tif 000006